(57)【特許請求の範囲】
【請求項１】
透明なフロントパネルと屋根と屋根を支える支柱からなる屋根装置本体と、その屋根装置本体を支え、かつモータバイクあるいは自転車本体へ取付けるための前部取付け器と後部取付け器とからなる屋根装置において、前部取付け器と屋根装置本体の間、屋根装置本体内部、そして屋根装置本体と後部取付け器の間の３か所において、ピッチ角方向に回転自在な連結軸受けを持ち、さらに前出支柱がスライド機構による伸縮機構や固定機構を持ち、支柱の長さ調整を可能とすることで、取付け相手の機種に影響されず共通に使える屋根装置本体と、取付け相手の形状に合わせた前部取付け器や後部取付け器に分離することができ、そのうえ支柱の長さ調整だけで屋根の高さ調整ができることを特徴とする簡易屋根装置。
【請求項２】
フロントパネルが１枚あるいは複数枚からなり、少なくても１枚のフロントパネルはその両脇にある摺動ガイド、あるいはリンク機構、あるいは回転軸によりその高さや角度を調整し、前方に調整可能な開口部を得ることで、季節や雨風の環境にたいして運転空間を快適に調整できる上に、雨天時には許す範囲の隙間を開けることでワイパーが無くてもフロントパネルに付いた水滴が原因の視界不良を避けることができることを特徴とする上記請求項１記載の簡易屋根装置。
【請求項３】
フロントパネルと屋根の両脇にある摺動ガイドに、回転自在で固定可能あるいは脱着可能な連結器を設け、屋根装置本体を取り外し収納する時にはそれを折り曲げ、あるいは分離し、収納場所を少なくすることができることを特徴とする請求項１から請求項２何れか記載の簡易屋根装置。
【請求項４】
屋根装置本体との連結器を持つ前部取付け器が、スクータ型のモータバイクにおいてはその前部車体にあるフロントカバー上面の一部あるいは全部を覆う前部取付けカバーから成り、前部取付けカバーをフロントカバーへ取付ける手段として、フロントカバーにあるねじ穴に合わせてねじ固定するためのねじ穴、あるいはフロントカバーの上面に置かれ簡易屋根装置の加重を支える受け面と前後あるいは左右から挟み込むための挟みこみ機構、あるいはフロントカバーへ押さえつけるためのベルトの何れか1つ以上を持つことで、特別な改造なしで前部取付け器を取付けることができることを特徴とする請求項１から請求項３何れか記載の簡易屋根装置」
【請求項５】
前部取付け板とフロントカバーの間にある中間部材として発泡ウレタンや石膏等のように初めは流動体で後から膨張硬化する材料を用い、前部取付け板の装着時あるいは装着後に充填剤として充填し硬化させることで、前部取付け板やフロントカバーの形によらずそれぞれの間の密着性を高め、ガタ無く前部取付け板をフロントカバーへ取付けられることを特徴とする請求項１から請求項４何れか記載の簡易屋根装置。
【請求項６】
屋根装置本体との連結器を持つ前部取付け器や後部取付け器が、取付け相手であるフロントカバーとの接触部に外力と同じ向きに板ばね、あるいは回転軸と外周までの距離が外力と同じ向きの回転で連続的に増化するカム、あるいはその両方を持つことで、前部取付け器や後部取付け器が外力を受けた場合、板ばねはその先端がフロントカバーに食い込み、カムはフロントカバーとの間の摩擦力で回転し、フロントカバーへ食い込み、あるいは摩擦抵抗を増やすことで保持力を増すことを特徴とする請求項１から請求項５何れか記載の簡易屋根装置。
【請求項７】
前部取付け器あるいは後部取付け器あるいはその両方が、足をのせる底板とともにねじで共締めされた補助板と、補助板の両側から、前部取付け器においては斜め前方に、また後部取付け器においては斜め後方に突き出た支柱からなり、その先端に屋根装置本体との回転自在な連結軸受けを持つことで、運転者の足場を確保したうえで、改造無しで屋根装置本体を取付けられることを特徴とする請求項１から請求項３何れか記載の簡易屋根装置。
【発明の詳細な説明】
【技術分野】
【０００１】
本発明は二輪および三輪車、例えばスクータを含むモータバイクおよび自転車用の簡易屋根装置に関する。
【背景技術】
【０００２】
自転車は言うに及ばず、一般のモータバイクの場合、一般自動車のように屋根や雨風よけ用フロントパネルが無いため、雨や風や太陽光など走行環境の影響を運転者が直接受ける。そのため、配送など日常業務が外の場合の営業用モータバイクでは運転者が極力季節や天候の影響を受けないようにスクータ型の屋根付きモータバイクを使う場合が多い。この場合、屋根付きモータバイクは、メーカが最初に屋根付きを前提に設計したものが一般的であり、そして雨が降った時の視界確保のために、フロントパネルには水滴を拭き取るためのワイパーがついている。
【０００３】
しかし特別設計あるいは特別改造であること、さらにはワイパーが必要であることが屋根付きモータバイクの製造価格を押上げ、普及の妨げになっていた。また、雨天時には雨よけになるフロントパネルが、晴天時には空気の流を妨げ、モータバイクで走行する時の風を切る爽快感を無くしていた。さらに、通常屋根の高さは長身者を前提に設計されているため、小さな女性等が運転するには不釣合いであった。
【０００４】
一般モータバイクへ屋根を取付ける装置として、特許文献１ではフロントパネルと屋根が一体となったパネルに対し、フロントパネル側をフロントカバーにある荷物かご取付け用の雌ねじを使って固定する装置を提案している。しかし、屋根を片持ち保持するためにその保持強度的が弱く、その結果走行中に屋根が上下左右にゆれ、走行の妨げになっている。
【０００５】
本発明と同様に既存の一般モータバイクや自転車に対し屋根を取付ける装置として、特許文献２がある。本装置は、側面略弓形状で車両の前方から上方に向かって立ち上げられる骨部と、その骨部に覆設される屋根部と、その骨部を後方で支える支持部と、車両の前部に固定されその骨部の前端を保持する前方保持部と、車両の後部に固定され上記支持部を保持する後方保持部と、上記骨部と上記前方保持部とを接続する第１の継手部と、上記支持部と上記後方保持部とを接続する第２の継手部と、上記骨部と上記支持部とを接続する第３の継手部を具え、上記第１、第２の継手部はそれぞれユーザの操作に応じて固定相手間の角度を変更可能とし、上記第３の継手部はそれぞれユーザの操作に応じて上記骨部における上記支持部の支持位置を前後に移動可能にしている。
【０００６】
本装置の場合、屋根の高さ調整をするためには、上記第１、第２、第３の継手部にある固定ねじを緩めた後に、上記骨部に対する第３の継手部の取付け位置を前方へ変更する必要がある。例えば、屋根を低くするには、第３の継手部を前方に移動することになっているが、支持部の長さ（L）が一定である限り、第３の継手部の移動による支持部の角度変化（Θ）による高さの低下は、初めは限定的でその後急速に増加する。そのため本例のように支柱を前方に倒す構造では、支柱が運転者や同乗者の乗り降りの邪魔になる恐れがある。また調整前後において、すべての上記固定ねじを緩めた後にまた締め直す必要があり大変不便である。
【０００７】
一方、上記前方保持部と後方保持部を車体に固定する方法についての記載は請求項に無いが、実施の形態を見るかぎり車体にある既存のねじを使って共締めするようである。そのため、各機種に合わせ上記前方保持部と後方保持の取付け位置を設計する必要があり、汎用的では無い。その上屋根部の取外しを想定していないため、取外した屋根部がかさばり置き場所確保に不便である。
また、屋根部はフロントパネルと屋根が一体のため、雨の日の視界確保のためのワイパーが必要であり、夏の暑い日は風を切る爽快感を味わうことができない。
【０００８】
それ以外では、特許文献３、特許文献４、特許文献５などで、モータバイクや自転車に、屋根付きというよりも雨よけ装置として、自転車とその運転者を透明なビニールやプラスチック等ですっぽり覆う装置を提案している。
【０００９】
また、屋根が脱着できるモータバイクとして特許文献６があるが、これはフロントパネル部と支柱間にある屋根をはじめから脱着出きるように設計しているだけで、本特許のように既存のモータバイクに対し屋根が脱着できるわけではない。
【先行技術文献】
【特許文献】
【００１０】
【特許文献１】特開２００３−２３７６６０号公報
【特許文献２】実用新案登録第３１５９９３７号
【特許文献３】特開２００６−５７２２６号公報
【特許文献４】特開２００６−２６４５６３号公報
【特許文献５】特開２００８−３７１９５号公報
【特許文献６】特願平９−２４８７１号公報
【発明の概要】
【発明が解決しようとする課題】
【００１１】
従来の屋根付きモータバイクは、一般モータバイクに比べその雨天時の雨避けや夏の強い日差しや紫外線の遮断等でその快適性は判るものの、それが特別設計、特別改造であるため生産台数も少なく大変高価であった。
【００１２】
そして、本来は雨や風よけとして快適空間を与えるフロントパネルが、逆に夏等の天気の良い日には風を遮ることで、運転者に暑い思いをさせていた。さらに、透明なフロントパネルも、雨天時には雨が水滴としてフロントパネルに付き視界不良となるため、その対策としてワイパーの設置が安全上必要であり、それがさらに屋根付きモータバイク価格を押し上げていた。またワイパーを付ける限りワイパーの摺動面であるフロントパネルへ通風のための開口部を設けることができなかった。
【００１３】
また、屋根の高さは長身男性の高さに設定してあるため、身長の低い運転手にとってはフロントパネルに無駄な風圧を受け、大変エネルギー効率が悪いものであった。その上、屋根の高さがモータバイクを収納する時の妨げになることもあった。
【００１４】
特許文献２のように屋根の高さを調整できる装置もあるが、運転状態での高さ調整範囲が少ない上に、調整のためには3個の継手を緩め、さらにそのうちの1個の固定位置を変更するなど調整が簡単にできず不便である。その上屋根部の取外しを想定していないため、強風時の運転は危険であり、取外したとしても屋根がかさばるため置き場所確保に難点がある。
【００１５】
さらに、モータバイクの多くは２輪車であり、そのため走行中に受ける正面からの風圧や側面からの風圧は走行中のモータバイクに対し不安定要因となる。そのため、正面からの風圧を減らすためにその横幅は狭く、また横風の影響を減らすために側面にはサイドパネルあるいはサイドカバーを設けないのが一般であり、その結果雨天時においては外側に近い肩や手元部がぬれる等の問題があった。
【００１６】
特に自転車においては、特許文献１のように屋根部を車体の前頭部で支える装置、特許文献３、特許文献４、特許文献５のように自転車と運転者をすっぽり覆うか、既存の傘をハンドルに取り付けて屋根あるいはフロントパネルの代用をするのが一般的であり、本発明のように本格的な雨避けや日よけとしての屋根を持つ装置は見当たらない。
【００１７】
本発明は前記の点を考慮してなされたものであり、既存のモータバイクや自転車に対して、特別な改造や調整無しで誰にでもフロントパネル付き屋根の取付けや取外しができること、取外した屋根本体はコンパクトに収納できること、走行中に運転者が受ける風量の制御ができること、ワイパー無しでも雨天時の視界の確保ができること、運転者に合わせた屋根の高さ調整ができること、屋根の高さを下げ従来と同じ場所へ屋根付きモータバイクを収納できること、そして横風があっても安全走行が確保できる雨除けのサイドカバーが取付けられること等の高機能で低価格な屋根付きモータバイクあるいは自転車を提案している。
【課題を解決するための手段】
【００１８】
上記目的を達成するべく本発明の請求項１による簡易屋根装置は、透明なフロントパネルと屋根と屋根を支え伸縮自在な支柱からなる屋根装置本体と、その屋根装置本体を支え、かつモータバイクあるいは自転車本体へ取付けるための前部取付け器と後部取付け器とからなり、前部取付け器とフロントパネルと屋根と支柱と後部取付け器のそれぞれいずれかの間の３か所において、ピッチ角方向に回転自在な連結軸受けを有することで、取付け相手の形状に合わせた前部取付け器や後部取付け器と取付け相手の機種に影響されない屋根装置本体に分離できる上に、連結後も回転自在な連結軸受けを持つことで、連結器の止めねじを緩めることなく屋根の高さ調整を支柱の長さ調整だけで実施できる。その結果、屋根装置本体の共通化で量産化によるコスト低下ができる上に、スクータ等駐車時に屋根の高さを下げ駐車スペースの低減ができる。
【００１９】
また請求項２による簡易屋根装置は、請求項１記載の簡易屋根装置において、フロントパネルが１枚あるいは複数枚からなり、少なくても１枚のフロントパネルはその両脇にある摺動ガイド、あるいはリンク機構、あるいは回転軸によりその高さや角度を調整し前方に開口部を得ることで、通常走行における運転者が受ける風量の調整や、雨天時の視界の確保ができることを特徴とするものである。
【００２０】
また請求項３による簡易屋根装置は、請求項１から請求項２何れか記載の簡易屋根装置において、フロントパネルと屋根の両脇にある摺動ガイドに、回転自在で固定可能あるいは脱着可能な連結器を設け、屋根装置本体を取り外し収納する時にはそれを折り曲げ、あるいは分離し、収納場所を少なくすることができることを特徴とするものである。
【００２１】
また請求項４による簡易屋根装置は、請求項１から請求項３何れか記載の簡易屋根装置において、屋根装置本体との連結器を持つ前部取付け器が、スクータ型のモータバイクにおいてはその前部車体にあるフロントカバー上面の一部あるいは全部を覆う前部取付けカバーから成り、前部取付けカバーをフロントカバーへ取付ける手段として、フロントカバーにあるねじ穴に合わせてねじ固定するためのねじ穴、あるいはフロントカバーの上面に置かれ簡易屋根装置の加重を支える受け面と前後あるいは左右から挟み込むための挟みこみ機構、あるいはフロントカバーへ押さえつけるためのベルトの何れか1つ以上を持つことで、特別な改造なしで前部取付け器をモータバイクに取付けられることを特徴とするものである。
【００２２】
また請求項５による簡易屋根装置は、請求項１から請求項４何れか記載の簡易屋根装置において、前部取付け板とフロントカバーの間にある中間部材として発泡ウレタンや石膏等のように初めは流動体で後から膨張硬化する材料を用い、前部取付け板の装着時あるいは装着後に充填剤として充填し硬化させることで、前部取付け板やフロントカバーの形によらずそれぞれの間の密着性を高め、ガタ無く前部取付け板をフロントカバーへ取付けられることを特徴とするものである。
【００２３】
また請求項６による簡易屋根装置は、請求項１から請求項５何れか記載の簡易屋根装置において、屋根装置本体との連結器を持つ前部取付け器や後部取付け器が、取付け相手との接触部に外力と同じ向きに板ばね、あるいは回転軸と外周までの距離が外力と同じ向きの回転で連続的に増化するカムあるいはその両方を持つことで、前部取付け器や後部取付け器が外力を受けた場合、板ばねやカムが一層取付け相手へ食い込むことで保持力を増やすことを特徴とするものである。
【００２４】
また請求項７よる簡易屋根装置は、請求項１から請求項３何れか記載の簡易屋根装置において、前部取付け器あるいは後部取付け器あるいはその両方が、足をのせる底板とともにねじで共締めされた補助板と、補助板の両側から、前部取付け器においては斜め前方に、また後部取付け器においては斜め後方に突き出た支柱からなり、その先端に屋根装置本体との連結軸受けを持つことで、特別な改造なしでスクータに屋根装置本体を十分な強度で固定できることを特徴とするものである。
【００２５】
また請求項８による簡易屋根装置は、請求項１から請求項７何れか記載の簡易屋根装置において、柔軟な素材からなるシートカバーとそのカバーの外周を支える弾性的なワイヤあるいは角度自在なばねから成る変形復元が自在なフレーム とそのワイヤあるいはフレームを回転自由に支えるワイヤ用あるいはフレーム用軸受けとワイヤあるいはフレームの保持角度を規制するためのカム溝を持つカム板あるいは内向きに開口を持ち前記ワイヤあるいはフレームを支えるシートカバー受けとこれらを支え屋根装置本体へ取付けるための要素とからなるサイドカバーを屋根装置本体側面に持つことで、所定以上の横風を受けた場合はシートカバーが外から内向きに回転し横風の影響を防ぎ、未使用時にはシートカバーをフレーム下部あるいはフレーム内部の摺動ガイド部に収納できることを特徴とするものである。
【発明の効果】
【００２６】
本発明の基礎構造およびその特徴を図１、図２に示す。図１は請求項１により、モータバイク等の種類が違い、その取付け位置が違っていても本発明のフロントパネル付き屋根や屋根用支柱を共通化することができることを示している。例えば、簡易屋根装置をモータバイクや自転車へ取付ける場合、前部取付け器や後部取付け器は取付け相手の取付け位置や角度へ自由に合わせることができる。そのためあとは取付け相手の形状に合わせ、ねじ締めや挟み込みやベルト押さえ等それぞれにあった取付け法を採用することで、いかなる種類のモータバイクや自転車へも改造無しで取付けることができる。その結果、フロントパネル付き屋根や屋根用支柱を独立に扱え、それぞれをモータバイクや自転車の種類によらず共通化できるので、量産効果によるコスト低減化が図れる。
【００２７】
また図２は請求項１により、３か所でピッチ角方向に回転可能な連結軸受けと、伸縮可能な支柱を持つことで簡単に屋根の高さを変えられることを示している。その結果、運転手の身長にあわせた屋根の調整が可能であり、走行中のフロントパネルに発生する風圧の影響を減らすことができる。さらに屋根付きモータバイクを収納する場所の収納高さを低く抑えることができる。
【００２８】
一方請求項２により、前方に調整可能な開口部を設け、季節や雨風の環境に対応して運転空間を快適に調整できる上に、雨天時には許す範囲の隙間を空けることでワイパーが無くてもフロントパネルに付いた水滴が原因の視界不良を避けられることができる。また強風時は前方の開口部を大きくすることでその影響を小さくすることができる。その結果、快適空間が得られる上に高価なワイパーを省くことで大幅なコスト低減が図れる。フロントパネルや屋根に安価なシートを利用した場合、一層の価格低下が図れる。
【００２９】
また請求項３により、屋根装置本体を取り外し収納する時にはフロントパネルと屋根の両脇にある摺動ガイドにある回転自在で固定可能あるいは脱着可能な連結器で折り曲げあるいは分離することで、収納場所を少なくすることができる。  
【００３０】
また請求項４から請求項７により、手持ちのモータバイクや自転車に対し、それぞれの形態に合わせた屋根装置本体の取付けが可能である。その結果特別な改造や調整無しで本屋根装置を取付けることができる。とくにスクータ型モータバイクの場合、プラスチックで薄いフロントカバーを前部取付け板が補強する役目も果している。
【００３１】
また請求項８により、必要な時だけ横からの雨や日差しを避けることができるし、強い横風に対してはサイドカバーが風圧により内側へ自動的に向くことで、車体の横ブレを防ぐことができる。さらにサイドカバー用のシートカバーにメッシュ型シートを使えば日よけと通気の両方が期待できる。
【図面の簡単な説明】
【００３２】
【図１】本発明の基本構造およびその特徴（スクータの機種が違う場合）を示した側面図である。
【図２】本発明の基本構造およびその特徴（屋根の高さを調整する場合）を示した側面図である。
【図３】本発明における実施例１の斜視図である。
【図４】実施例１の詳細分解図である。
【図５】実施例１で示す前部取付け器の取付け構造についての別例１の斜視図である。
【図６】実施例１で示す前部取付け器の取付け構造についての別例２の斜視図である。
【図７】実施例１で示す伸縮支柱と後部取付け器の別例１を示した斜視図と後部取付け器の断面図である。
【図８】実施例１で示す後部取付け器の別例２を示した斜視図である。
【図９】本発明における実施例２の斜視図である。
【図１０】実施例２で示す屋根本体を取り外し、折り曲げた状態の正面図と上面図を示す。
【図１１】実施例２で示す発泡ウレタン充填後の前部取付け板の取付け状態を示す正面図とその断面側面図である。
【図１２】発泡ウレタン充填袋を使った場合の発泡ウレタンの注入法を示す正面図である。
【図１３】実施例２で示すサイドカバー（使用状態）の側面図とその断面図である。
【図１４】実施例２で示すサイドカバー（収納状態）の側面図とその断面図である。
【図１５】実施例２で示す別例サイドカバー（使用状態）の側面図とその断面図である。
【図１６】実施例２で示す別例サイドカバー（収納状態）の側面図とその断面図である。
【図１７】実施例２で示す前部サイドパネルの前部フレーム連結板への取付け状態を示す斜視図とその部分詳細図である。
【図１８】本発明における実施例３の斜視図である。
【図１９】実施例３で示す上部フロントパネルの開閉構造についての別例１の斜視図である。
【図２０】実施例３で示す上部フロントパネルの開閉構造についての別例２の斜視図である。
【図２１】本発明における実施例４の斜視図である。
【図２２】実施例４の前部取付け板とフロントパネルとの連結構造（通常状態）を示す断面図である。
【図２３】実施例４の前部取付け板とフロントパネルとの連結構造（収納状態）を示す断面図である。
【図２４】実施例４における屋根装置本体を中間連結軸受けで分離した後の収納例１（荷物かご有）の斜視図である。
【図２５】実施例４における屋根装置本体を中間連結軸受けで分離した後の収納例２（荷物かご無）の斜視図である。
【図２６】実施例４の別例の斜視図である。
【図２７】実施例４の別例における屋根装置本体を後部連結軸受けで分離した後の収納例（荷物かご無）の斜視図である。
【図２８】本発明における実施例５の斜視図である。
【図２９】本発明における実施例６（一般モータバイクへの運用例）の斜視図である。
【図３０】本発明における実施例７（自転車への運用例）の斜視図である。
【発明を実施するための形態】
【００３３】
本発明を実施するには，本発明を固定するための乗用座席をまたぎ、そして前部車体２と後部車体３が一体になるように連結している必要である。ここでは実施例としてスクータ型のモータバイク１を中心に一般モータバイクや自転車１１について説明する。
【実施例１】
【００３４】
本発明装置の実施例１を図３に、そしてその詳細説明のための分解図を図４に示す。モータバイク１は前部車体２と後部車体３と中央下部車体４からなり、一方請求項１の本発明装置は前部取付け器５とフロントパネル付き屋根６と伸縮自在な屋根用支柱７と後部取付け器８とからなり、それぞれはピッチ方向に回転自在な前部連結軸受け５３と中間連結軸受け６２と後部連結軸受け８２で連結されている。そして中間連結軸受け６２には、軸受けロック用ナット６２４があり、必要に応じて中間連結軸受け６２の固定ができる。
【００３５】
本発明装置をモータバイク１に取付けるにあたり、前部車体２へは請求項４の前部取付け器５を使い、フロントカバー２１にある荷物かご用取付け雌ねじ２２と中間補助板５５を使った挟み込み機構で取付けている。そして後部車体３へは後部取付け器８である後部取付け板８１を後部荷台３２へ取付けている。ここではポリカーボナイトのように透明で強度が強く紫外線を通し難い材料をフロントパネルに使い、そのフロントパネルを上部フロントパネル６３と下部フロントパネル６４に分け、それぞれについては断面がE型をした請求項２によるところの摺動ガイド６１１で支持した場合を、そして屋根用支柱７については、請求項１によるところの伸縮可能な伸縮支柱７１の固定に伸縮固定偏芯カム７１１を使用した場合を示す。
【００３６】
以下で詳細を説明する。前部車体２には荷物かごA（オプション）を取付けるための３個の荷物かご用の取付け雌ねじ２２があり、前部取付け板５１は取付け板用固定ねじ５２で前部車体２に固定されている。さらにフロントカバー２１と前部取付け板５１の間には、上部に弾性変形可能な中間補助板５５とカバー用取付け補助板５６が、そして下部に下部補助板５７があり、それぞれは固定ねじ５５１と５６１と５７１で連結固定され、そのことで前部取付け板５１をフロントカバー２１の方向へ押付けている。さらに前部取付け板５１の上部左右には横ぶれ防止用のねじ５４があり、緩衝用パッド５４１を介してフロントカバー２１と接触している。
【００３７】
フロントパネル付き屋根６は、上部フロントパネル６３と下部フロントパネル６４と屋根用パネル６５と、そしてそれらを保持する屋根用フレーム６１と横フレーム６１２からなり、その前部は前部連結軸受け５３に前部軸受け用固定ねじ５３２で連結されている。
【００３８】
そしてその後部は中間連結軸受け６２を介して屋根用支柱７に中間連結軸受け用固定軸６２２で連結している。中間連結軸受け用固定軸６２２は、軸端に円柱状の頭を持ち、その首部に軸受けロック用ナット６２４のためのねじが、そしてそのねじ径より細くそして伸縮支柱７１とその前後のワッシャ６２３の合わせた厚さより若干長い軸と、そしてその軸径より細く中間連結軸受け６２へ固定するためのねじを持つ。中間連結軸受け用固定軸６２２は中間連結軸受け６２へねじ固定後、緩み止め手段としてそのねじ端をさらにナットで固定している。この場合、軸受けロック用ナット６２４を軸の頭方向に締めれば回転自由度を確保できるし、ワッシャ側へ締めれば回転固定ができる。
【００３９】
上記フロントパネル付き屋根６において、上部フロントパネル６３と下部フロントパネル６４は屋根用フレーム６１にある円弧状の摺動ガイド６１１により上下移動が可能である。上部フロントパネル６３と下部フロントパネル６４と屋根用パネル６５にたまった雨水は屋根用フレーム６１に集まり、摺動ガイド６１１の溝を通って下部へ流れ下端にある図示しない穴より外へ排泄される。
【００４０】
上部および下部フロントパネル６３，６４の左右には、偏芯カム６６１と偏芯カム用軸受け６６２からなるフロントパネル固定装置６６があり、偏芯カム６６１の回転角を使って上部および下部フロントパネル６３，６４の高さを保持している。この場合、固定装置６６は左右いずれかの1個でも良いし、下部フロントパネル６４は初めから屋根用フレーム６１へねじ固定していても良い。
【００４１】
屋根用支柱７は、後部連結器８を構成する後部連結軸受け８２に後部連結軸受け用固定ねじ８２１で連結されている。そしてその中間部には伸縮調整可能な伸縮支柱７１が有り、高さ調整後に伸縮固定偏芯カム７１１で固定される。本実施例の場合、三か所の連結軸受けで連結後もピッチ方向の回転自由度を持つため連結器のねじ等を緩める必要は無く、伸縮固定偏芯カム７１１を緩め、伸縮支柱７１の長さ調整だけで運転者の身長合わせた、あるいはバイク収納のための屋根の高さ調整を行うことができる。  
【００４２】
後部取付け器８は、後部取付け板８１と後部連結軸受け８２からなり、後部荷台３２の上面に置かれた後部取付け板８１は、下部にある荷台固定板８１２を使って後部荷台３２に対し後部取付け板用固定ねじ８１１で連結されている。後部取付け板８１には、横ぶれ防止のための横ぶれ防止用ねじ８３があり、後部カバー用緩衝パッド８３１を介して後部カバー３１を押している。
【００４３】
実施例１の場合、もともとフロントカバー２１部にある雌ねじを使って前部取付け板５１を固定し、それをさらに補強する手段として中間補助板５５とカバー用取付け補助板５６を使っているが、どちらか一方だけでも構わない。また、屋根用フレーム６１用に断面がＥ構造の一般材を使う、あるいはコ構造の一般材を重ねて使う、あるいは薄板を折り曲げてＥ構造にした梁を使うことで部品コストが下げられる上に、屋根やパネルに降った雨は屋根用フレーム６１へ集まり下に流れるので雨どいを省くことができる。
【００４４】
前部取付け板５１の取付け別例１を図５に示す。前部取付け板５１を直接フロントカバー２１にねじ固定するのではなく、新たに前部取付け補助板５１２を設けたもので、荷物かご用の取付け雌ねじ２２を使ってフロントカバー２１へ固定している。これにより前部取付け板５１の高さをフロントカバー２１のねじ位置に係わらず一定に取付けることができる。例えば、前部取付け補助板５１２にある上下移動可能な雌ねじを使って前部取付け板５１をフロントカバー２１の上部に合わせ固定することでフロントパネル付き屋根６の自重をフロントカバー２１の上面とそのねじで分散支持することができる。本別例１ではさらに、請求項６における板ばね５５２を介してフロントカバー２１へカバー用取付け補助板５６を挟みこむように固定している。この場合、板ばね５５２は弾性変形しながら押付けるのでガタを無くすことが出来る上に、上方荷重に対しては板ばね５５２の先端がフロントカバー２１へ食い込み、外れることは無い。
【００４５】
モータバイク１に荷物かご用の取付け雌ねじ２２が無い場合における前部取付け板５１の取付け別例２を図６に示す。前部取付け板５１の上部は、板ばね５５２を介して、フロントカバー２１に取付けられている。フロントカバー２１の側面には、フロントカバー２１と側面押さえ板用回転軸５１８で連結した側面押さえ板５１３がある。側面押さえ板５１３の先端には請求項６によるところの回転自由な側面押さえ用カム５１５と板ばね５５２があり、側面押さえ用コイルばねでフロントカバー２１の側面を押さえつけると共に側面押さえ板５１３が動かないようにフロントカバー２１へ側面押さえ板用固定ねじ５１９で固定されている。本別例２の場合、補助的補強のために固定用ベルト５１４も使っている。
【００４６】
側面押さえ用カム５１５の外周部にはのこぎり歯のように尖った歯が、あるいはゴムのような摩擦抵抗の大きい材料があり、前部取付け板５１が上方に荷重を受けた場合、側面押さえ用カム５１５が摩擦力で回転し、フロントカバー２１へ食い込む、あるいは摩擦抵抗を増やし、前部取付け板５１が上方へ動くのを一層抑えてくれる。
【００４７】
伸縮支柱７１と後部取付け器８の別例１を図７に示す。本伸縮支柱７１の場合、その上部には中間連結軸受け６２の回転を規制するロック機構を、そして下部にはその高さを規制するロック機構を持つ。支柱用ハンドル７３上面にある伸縮支柱用ロック解放ボタン７２を押すと、それぞれのロックが外れ伸縮支柱７１の高さを片手で調整できる。伸縮支柱７１の上部にあるロック機構は、万が一請求項１にある3個の回転軸受けのいずれかが外れた場合に、屋根部本体がバラバラにならないための安全機構の一つであり、無くても機能上は問題無い。
【００４８】
一方、本後部取付け器８の後部連結軸受け８２は二つ割りになっており、一方は蝶番８４で連結され、他方は手動用ねじ８６で固定されている。その結果、手動用ねじ８６を外すことで屋根用支柱７と後部取付け器８を分離し、屋根の収納性を一層高めることができるし、さらに前部フレーム５８を前部取付け板５１から外すことで屋根装置本体をスクータから取外すこともできる。
【００４９】
後部取付け器８の別例２として、後部取っ手８１４へ左右から挟み込む方法を図８に示す。荷台および取っ手固定板８１２は２つに分かれており、その間を2本の固定板連結ねじ８１７で後部取っ手３３を挟み込んでいる。車体後部に後部荷台３２が無く、代わりに後部取っ手３３等がある場合に有効である。
【実施例２】
【００５０】
実施例２を図９に示す。実施例１と同様に断面がE型の屋根用フレーム６１を使っているが、実施例１とは違い上部フロントパネル６３と下部フロントパネル６４は上部の同一摺動ガイド６１１上に設置され、そしてそれぞれのフロントパネル固定装置６６はパネル内部に設置されている。そして下部フロントパネル６４の下にある下部の摺動ガイド６１１には前部フレーム５８と連結しフロントパネルを兼ねた前部フレーム連結板５８１が固定されている。本実施例２では、前方を照らすライトに影響を与えないまたはその影響を受けないために、屋根用フレーム６１はハンドル部にあるライトより上に位置しており、前部フレーム５８にある伸縮機構を使い屋根用フレーム６１の高さ調整ができる。そして請求項８で示すところの側面の雨よけ日よけ用のサイドカバー６７と手元の雨よけ日よけ用の前部サイドパネル５８５が付いている。
【００５１】
上部および下部フロントパネル６３，６４と屋根用パネル６５の両脇にある屋根用フレーム６１は、請求項３を実施するために中間部で前後に別れており、それぞれは回転自在な連結器であるフレーム用蝶番６１４で接続されている。そしてその上部にはフレーム連結板６１５があり、通常はフレーム連結板６１５にあるフレーム連結ねじ６１６で連結固定されている。屋根装置本体部をスクータ１から取外した場合、フレーム連結ねじ６１６を緩め連結を外すことで、図１０のように屋根用フレーム６１を折り曲げコンパクトに収納することができる。
【００５２】
本実施例２では、部取付け板５１とフロントカバー２１の間にある中間部材として請求項５によるところの１液性湿気硬化型の発泡ウレタン９１を使用している。部取付け板５１とフロントカバー２１間における発泡ウレタン９１の充填状態を図１１に示す。
【００５３】
発泡ウレタン９１を前部取付け板５１とフロントカバー２１の間に充填させる方法としては、前部取付け板５１をフロントカバー２１に取付ける前、または取付け後に直接塗布または充填する方法、あるいは発泡ウレタン９１が前部取付け板５１とフロントカバー２１に直接触れて汚さないために発泡ウレタン充填袋９２を使って間接的に充填する方法がある。
【００５４】
前者の場合、発泡ウレタン９１が直接空気に触れ空気中の湿度を吸っておよそ１０分で硬化するが、後者の場合、袋を使うと硬化するための水分を事前に発泡ウレタン充填袋９２内へ霧吹き等で供給するか、外の湿度を取込むための手段たとえば通気性のための多数の微小な通気穴を発泡ウレタン充填袋９２に加える必要がある。さらに発泡ウレタン９１の発泡ウレタン充填袋９２への充填法としては事前に発泡ウレタン９１を充填した袋を前部取付け板５１とフロントカバー２１の間に挟む、あるいは空の発泡ウレタン充填袋９２を挟んだ後から発泡ウレタン９１を充填する方法がある。
【００５５】
発泡ウレタン９１を充填する通気性のあるウレタン充填袋９２の形状とその充填方法を図１２に示す。発泡ウレタン充填袋９２は透明で薄く通気のための無数の通気口を持つ柔軟な軟質プラスチックでできており、その袋にはウレタン注入口と空気抜け口を持つ。発泡ウレタン充填缶９１１から発泡ウレタン充填用ストロー９１２を介してウレタン注入口から注入された発泡ウレタン９１は泡状であり、充填された泡の量は水分を吸い硬化する時さらに約１．５倍から２倍に増加する。その結果、前部取付け板５１とフロントカバー２１の間の密着性を広い範囲で実施し、前部取付け板５１のフロントカバー２１への取付け強度を増すことができる。
【００５６】
本特許の目的は、前部取付け板５１とフロントカバー２１の密着性を高めるのが目的であり、本状態とは別に発泡スチロールのように初めから前部取付け板５１とフロントカバー２１の形に成形した材料、あるいは変形可能なゴム等を中間部材５１１として用いても構わない。
【００５７】
サイドカバー６７の使用状態における側面図とその断面図を図１３に示す。サイドカバー６７はピアノ線等のように弾性的なワイヤ６７２で外周を支えられたシート状のシートカバー６７１からなり、ワイヤ６７２は2個のワイヤ用軸受け６７３で支えられている。そしてその軸受けの間には円弧状の溝を持つカム板６７４があり、円弧状の溝とワイヤ６７２間の反発力で外側か内側の特定角度位置でサイドカバー６７が保持されるようになっている。強風を受けた場合はサイドカバー６７が内側へ回転し、横風による影響を減らすことができる。
【００５８】
サイドカバー６７の収納状態における側面図とその断面図を図１４に示す。サイドカバー６７はサイドカバー取付け板６７６上の二か所あるシートカバー受け６７５で、視界の邪魔にならないように、支えられなっている。
【００５９】
サイドカバー６７の別例を図１５に示す。サイドカバー６７の骨組みには、ねじりばねのコイル部がサイドカバー６７の４隅にあり、その間にはサイドカバー面内で回転可能なワイヤ連結６７８を持つところのねじりばね付きワイヤ６７７を使っている。ねじりばね部を内側へ抑え込み、ワイヤ連結６７８を内側に折り込むことで、サイドカバー６７を一層小さく折り畳むことができる。
【００６０】
さらに、本別例ではカム板６７４の代わりに、内向きに開口部を持ちその位置がワイヤ用軸受け６７３より外側にあるシートカバー受け６７５を使用している。例えば、シートカバー受け６７５部のねじりばね付きワイヤ６７７は、シートカバー受け６７５で受けられるようにサイドカバー６７の内向きに折り曲げられており、サイドカバー６７の使用状態においては、ねじりばね付きワイヤ６７７はシートカバー受け６７５部で支えられる。そして所定以上の横風を受けた場合、ねじりばね付きワイヤ６７７はシートカバー受け６７５から外れフリーとなり、スクータ１に対する横風の影響を低減する。
【００６１】
ワイヤ用軸受け６７３とシートカバー受け６７５とサイドカバー取付け板６７６は板金による一体構造をしておりこの事でコスト減が図れる。
【００６２】
シートカバー６７１を屋根用フレーム６１の摺動ガイド６１１内部へ収納した場合を図１６に示す。本例ではシートカバー６７１を外から見えなくすることで、外観上の見栄えを良くしている。
【００６３】
また本別例では、サイドカバー取付け板６７６の固定にはねじ等を使わず、屋根用フレーム６１の摺動ガイド６１１へ板ばねによる挟み込み固定法を採用しているため、必要に応じて屋根用フレーム６１への取付け位置をいろいろ変えることができる。また収納したサイドカバー６７を取り出す場合、外に飛び出たねじりばね付きワイヤ６７７を外側へ引っ張っても良いし、あらかじめねじりばね付きワイヤ６７７へ紐等を取付けて置き、それを引っ張っても良い。
【００６４】
また本別例では、シートカバー受け６７５の位置に合うようにねじりばね付きワイヤ６７７をシートカバー６７１の内向きに折り曲げてあるが、シートカバー６７１を折り曲げず、シートカバー受け６７５の下部端面に上向きフックを設けそこへねじりばね付きワイヤ６７７を引っかけて保持しても構わない。また、シートカバーにメッシュ状シートを使うことでさらに横風の影響を減らすことができる。
【００６５】
前部サイドパネル５８５の取付け状態を図１７に示す。透明な前部サイドパネル５８５は球面軸受け５８６で支持されているのでその角度を自在に調整できる上に球面軸受け用軸５８７を前部サイドパネル収納用軸受け５８８で前部フレーム連結板５８１側に収納することができる。前部サイドパネル５８５は使用時収納時に軸ストッパ５８９で状態保持される。本例では前部サイドパネル収納用軸受け５８８は前部フレーム連結板５８１に固定されているが、屋根用フレーム６１上に固定しても構わない。
【実施例３】
【００６６】
実施例３を図１８に示す。実施例１や実施例２と違い、下部フロントパネル６４と屋根用パネル６５を直接ガイド付きの連結梁６３２で連結している。本構造にすることで摺動ガイド６１１の構造が簡単になり製造価格低減が実現できる。この場合、屋根用パネル６５と上部フロントパネル６３と下部フロントパネル６４の外周部に雨を集めて流すための突起を持ち、屋根用パネル６５と上部フロントパネル６３に降った雨は連結梁６３２にある溝を流れて下部フロントパネル６４へ流れ出す。本例では、前部取付け板５１はフロントカバー２１に対しその上部を側面押さえ板５１３で固定されるとともに、固定用ベルト５１４でも合わせて固定されており、また前部フレーム５８に伸縮自在構造を持たることで、下部フロントパネルの高さ調性を可能としている。
【００６７】
実施例３の場合、連結梁６３２としての先の屋根用フレーム６１と同様に断面がＥ構造の一般材を使うこともできる。この場合、屋根用フレーム６１の長さは上部フロントパネル６３の摺動範囲だけなので使用材料を減らして軽量化が図れる上に組み立てを簡単にすることができる。
【００６８】
実施例３の変形例として、図１９に連結梁６３２に摺動ガイド６１１とは別に回転軸６３３を設け、開閉パネル６３１を上下に移動可能にした場合を、また図２０に連結梁６３２に回転軸受け６３６を設け、開閉パネル６３１を回転可能とした場合を示す。
【実施例４】
【００６９】
実施例４を図２１に示す。上部フロントパネル６３と屋根用パネル６５が一体で、かつ上部フロントパネル６３の一部を除き、折り畳み可能な屋根用シート６５１からなるフロントパネル付き屋根6を持ち、中間連結軸受け６２の分離と屋根用フレーム６１の伸縮が可能な構造になっている。フロントパネル付き屋根6は側面にシート取付けキャップ６５４を持つ屋根用シート６５１とそれを支えるシート用梁６５２と屋根用フレーム６１とそのフレーム上を摺動しシート用梁６５２を支えるシート用リング６５３とからなる。シート取付けキャップ６５４はシート用梁６５２の先端にシート用リング６５３を介してはめ込まれている。屋根用フレーム６１はそれぞれの部材間の摩擦抵抗や図示しないロック機構によりその位置は保持できるが、後部取付け器８に屋根用支柱回転ストッパ８２３を設けることで、通常使用時には屋根用フレーム６１の長さが最大長で保持できるように調整される。
【００７０】
シート取付けキャップ６５４は端部が上向きで雨がそこから垂れないようになっている。また、フロントパネル付き屋根6と屋根用支柱７間は開閉可能なリング状の中間連結軸受け６２とリング状の中間連結軸受け用固定軸６２２で連結されており、必要に応じで分離することができる。
【００７１】
屋根用シート６５１を折りたたみ開口部を広げた場合、それぞれの位置は、摺動ガイドである屋根用フレーム６１上にあるシート用リング６５３にあるシート用梁固定ねじ６５６で固定される。
【００７２】
前部取付け板５１と下部フロントパネル６４との連結構造（通常状態）を示す断面を図２２に、下部フロントパネル６４の収納状態を図２３に示す。前部フレーム５８はその前後にそれぞれピッチ方向回転可能な軸受けがあり、通常状態においては回転軸５８２位置は回転ストッパ５８３で固定されている。そして収納する場合は、この回転ストッパ５８３と中間軸受け６２を外し、屋根用フレーム６１と屋根用シート６５１を縮めた後で前部フレーム５８を下方へ収納している。 
【００７３】
荷物かご付きスクータでのフロントパネル付き屋根6の収納状態を図２４に示す。上部フロントパネル６３の図示しない固定ねじを外し、屋根用シート６５１を前方に折りたたみ、屋根用フレーム６１と伸縮支柱７１との連結を外して前方に縮め前部フレーム５８上へ収納している。この場合、収納されたロントパネル付き屋根6は荷物かごの上部ふたとなり引ったくり防止の効果が期待できる。一方伸縮支柱７１は縮められ後部取付け板８１上で図示しない固定器で固定される。
【００７４】
荷物かごが無いスクータでのフロントパネル付き屋根6の収納状態を図２５に示す。回転ストッパ５８３を緩めた後で、屋根用シート６５１を前方に折りたたみ、屋根用フレーム６１と伸縮支柱７１との連結を外して下部フロントパネル６４と屋根用シート６５１を前方のフロントカバー２１上へ収納している。
【００７５】
実施例４の別例として、図２６に連結分離箇所が後部連結軸受け８２で、屋根用フレーム６１の断面がコの字型の入れ子構造をしている場合を示す。折り畳み可能な屋根用シート６５１を支えるシート用梁６５２の両脇にはローラ６５７が固定され、屋根用フレーム６１の内側に収納されている。シート用梁６５２は左右の屋根用フレーム６１にあるシート用梁固定ブロック６５５の左右にある溝で位置決め固定される。通常シート用梁６５２は屋根用フレーム６１により上に凸上に押し上げられており、シート用梁固定ブロック６５５との連結解消後は、シート用梁６５２の前後移動で移動シート用梁固定ブロック６５５が邪魔になることは無い。
【００７６】
荷物かごが無いスクータでのフロントパネル付き屋根6の収納状態を図２７に示す。上部フロントパネル６３の固定を外し、シート用梁固定ねじ６５６を緩めた後で、屋根用シート６５１を前方に折りたたみ、後部取付け器８から伸縮支柱７１の連結を外して、図２５同様に下部フロントパネル６４と屋根用シート６５１を前方のフロントカバー２１上へ収納している。この場合、伸縮支柱７１は２本の前部フレーム５８の間に収納される。
【００７７】
フロントパネル６３や下部フロントパネル６４や屋根用パネル６５が折りたたみ構造では無くプレート構造の場合、それぞれとそのスライドガイド６３４を３層構造にし、下部フロントパネル６４上へ他のパネルを収納できるようにすれば実施例４と同様にフロントパネル付き屋根6を収納することができる。
【実施例５】
【００７８】
実施例５として図２８に、請求項７によるところのフロントパネル付き屋根6の支持方法を示す。実施例３で示したフロントパネル付き屋根6が中央下部車体４にある足置き板４１に固定された前部フレーム５８と後部フレーム５９の先にある前部連結軸受け５３と後部連結軸受け８２を介して支持された場合を示す。前部フレーム５８と後部フレーム５９にはそれぞれを支える補助手段としてフロントカバー２１と後部カバー３１に対する前部フレーム押さえ５８４と後部フレーム押さえ５９１がある。荷物かご用の取付け雌ねじ２２が無いモータバイクには有効な方法の１つである。
【実施例６】
【００７９】
実施例６として図２９に、スクータタイプとは別のモータバイクに対するフロントパネル付き屋根6の支持方法を示す。前部フレーム５８はガソリンタンクの両脇を挟みこんだ前部取付け板５１で支えられており、前部フレーム５８の先端には図示しない前部連結軸受け５３を介してフロントパネル付き屋根6の前方を支えている。また後部取付け器８は後部取って３３に対し取付けられている。これとは別に、前部フレーム５８を車体用の梁に固定しても同様の結果が得られる。
【実施例７】
【００８０】
実施例７として自転車への応用例を図３０に示す。実施例４のフロントパネル付き屋根6を固定機構で自転車へ取付けた場合を示す。自転車の場合、雨の日以外は屋根を用いないことが多いので実施例４で用いた収納可能なフロントパネル付き屋根6は大変有効である。フロントパネル付き屋根6を支える前部フレーム５８は前輪を支える車体本体用の梁に両側から挟みこんだ前部取付け板５１で支えられており、前部フレーム５８の先端には図示しない前部連結軸受け５３を介してフロントパネル付き屋根6の前方を支えている。
【００８１】
以上の本発明実施例の説明において，前部連結軸受け５３と中間連結軸受け６２と後部連結軸受け８２における各対応部品の連結には，回転自在のまま連結する方法を説明しているが，各取付け位置決定後は、それぞれの連結部の強度を増すため軸受け内の軸受けロック用ナット６２４を使って固く固定しても良い。また前部取付け板５１や後部取付け板８１の取付けにマジックテープ(登録商標）や接着剤あるいは両面テープを使っても、あるいはフロントカバーや後部カバーに穴を開けそれぞれを両側からねじ留めしてもかまわない。また、フロントパネルがスクータにあるランプの光を反射して視野に影響を与える場合はパネルに反射防止膜を塗布しても良い。
【００８２】
また回転自由の固定法として図２８の前部フレーム５８および後部フレーム５９のように丸パイプ状の物をそれと勘合する円形固定部品で固定しても良いし、前部取付け板５１の上面へ化粧のためのカバーを付けても良い。
【００８３】
さらに屋根用フレーム６１や連結梁６３２や前部フレーム連結板５８１へ図示しないバックミラー、前方からの日光を遮る日よけ、ペットボトル等の飲み物受け、携帯電話や音楽機器等の収納かご等を取付けても良い。
【産業上の利用可能性】
【００８４】
耕運機のように、外で使う可能性があり人が操作あるいは乗車する装置の場合、移動速度が遅いのでフロントパネルは不用であるが、脱着可能な日避けや雨避け用の屋根として活用できる。
【符号の説明】
【００８５】
１      モータバイク
１１    自転車
２      前部車体
２１    フロントカバー
２２    荷物かご用の取付け雌ねじ
３      後部車体
３１    後部カバー
３２    後部荷台
３３    後部取っ手
４      中央下部車体
４１    足置き板
４２    足置き板用固定ねじ
５      前部取付け器
５１    前部取付け板
５１１  中間部材
５１２  前部取付け補助板
５１３  側面押さえ板
５１４  固定用ベルト
５１５  側面押さえ用偏芯カム
５１６  側面押さえ用コイルばね
５１７  コイルばね用受けねじ
５１８  側面押さえ板用回転軸
５１９  側面押さえ板用固定ねじ
５２    取付け板用固定ねじ
５３    前部連結軸受け
５３１  前部軸受け用連結軸
５３２  前部軸受け用固定ねじ
５３３  前部軸受け用ワッシャ
５４    横ぶれ防止用ねじ
５４１  緩衝用パッド
５５    中間補助板
５５１  中間補助板用固定ねじ
５５２  板ばね
５６    カバー用取付け補助板
５６１  補助板用固定ねじ
５７    下部補助板
５７１  下部補助板用固定ねじ
５８    前部フレーム
５８１  前部フレーム連結板
５８２  回転軸
５８３  回転ストッパ
５８４  前部フレーム押さえ
５８５  前部サイドパネル
５８６  球面軸受け
５８７  球面軸受け用軸
５８８  前部サイドパネル収納用軸受け
５８９  軸ストッパー
５９    後部フレーム
５９１  後部フレーム押さえ
６      フロントパネル付き屋根
６１    屋根用フレーム
６１１  摺動ガイド
６１２  横フレーム
６１３  ガイド用ふた
６１４  フレーム用蝶番
６１５  フレーム連結板
６１６  フレーム連結ねじ
６２    中間連結軸受け
６２１  中間連結軸受け固定ねじ
６２２  中間連結軸受け用固定軸
６２３  ワッシャ
６２４  軸受けロック用ナット
６３    上部フロントパネル
６３１  開閉パネル
６３２  連結梁
６３３  回転軸
６３４  スライドガイド
６３５  固定ねじ
６３６  回転軸受け
６３７  連結梁固定ねじ
６３８  連結下板
６３９  スライドハンドル
６４    下部フロントパネル
６４１  パネル押え
６５    屋根用パネル
６５１  屋根用シート
６５２  シート用梁
６５３  シート用リング
６５４  シート取付けキャップ
６５５  シート用梁固定ブロック
６５６  シート用梁固定ねじ
６５７  ローラ
６６    フロントパネル固定装置
６６１  偏芯カム
６６２  偏芯カム用軸受け
６６３  偏芯カム用軸
６６４  カム軸受け固定ねじ
６７    サイドカバー
６７１  シートカバー
６７２  ワイヤ
６７３  ワイヤ用軸受け
６７４  カム板
６７５  シートカバー受け  
６７６  サイドカバー取付け板
６７７  ねじりばね付きワイヤ
６７８  ワイヤ連結器
７      屋根用支柱
７１    伸縮支柱
７１１  伸縮固定偏芯カム
７２    伸縮支柱用ロック解放ボタン
７３    支柱用ハンドル
７４    伸縮ロックピン
８      後部取付け器
８１    後部取付け板
８１１  後部取付け板用固定ねじ
８１２  荷台および取っ手固定板
８１３  後部取付け板用ふた
８１５  固定用フック
８１６  フック用固定ねじ
８１７  固定板連結ねじ  
８２    後部連結軸受け
８２１  後部連結軸受け用固定ねじ
８２２  ワッシャ
８２３  屋根用支柱回転ストッパ
８３    後部横ぶれ防止用ねじ
８３１  後部カバー用緩衝パッド
８４    蝶番
８５    丸棒型ナット
８６    手動用ねじ
９１    発泡ウレタン
９１１  発泡ウレタン充填缶
９１２  発泡ウレタン充填用ストロー
９１３  発泡ウレタン充填制御用レバー
９２    発泡ウレタン充填袋
Ａ      荷物かご
Ｂ      荷物箱
【図１】
0005487456.tif 000002
【図２】
0005487456.tif 000003
【図３】
0005487456.tif 000004
【図４】
0005487456.tif 000005
【図５】
0005487456.tif 000006
【図６】
0005487456.tif 000007
【図７】
0005487456.tif 000008
【図８】
0005487456.tif 000009
【図９】
0005487456.tif 000010
【図１０】
0005487456.tif 000011
【図１１】
0005487456.tif 000012
【図１２】
0005487456.tif 000013
【図１３】
0005487456.tif 000014
【図１４】
0005487456.tif 000015
【図１５】
0005487456.tif 000016
【図１６】
0005487456.tif 000017
【図１７】
0005487456.tif 000018
【図１８】
0005487456.tif 000019
【図１９】
0005487456.tif 000020
【図２０】
0005487456.tif 000021
【図２１】
0005487456.tif 000022
【図２２】
0005487456.tif 000023
【図２３】
0005487456.tif 000024
【図２４】
0005487456.tif 000025
【図２５】
0005487456.tif 000026
【図２６】
0005487456.tif 000027
【図２７】
0005487456.tif 000028
【図２８】
0005487456.tif 000029
【図２９】
0005487456.tif 000030
【図３０】
0005487456.tif 000031